(57)【要約】【課題】  気液合流空間と外気とを複雑な装置を用いずに容易に遮断することができ、安定的かつ衛生的に使用することができるとともに、外気を遮断する閉状態であることが外観から容易に視認できる泡吐出容器を提供すること。【解決手段】  ノズル部５０は、先端に泡状内容物の吐出口を形成する吐出筒５１と、可撓性を有する筒状栓体１２との間に微小間隙Ｓを有して嵌合する嵌合筒５２とを備え、キャップ部７０に設けられた軸受け部８４を中心に回動することにより、気液合流空間Ｇが外気と連通している開状態と、筒状栓体１２が屈曲変形して気液合流空間Ｇが外気と遮断される閉状態とに移行可能に配置されていることを特徴とする。【選択図】  図１
2015227186.tif 000002
【特許請求の範囲】
【請求項１】
可撓性を有する胴部を有し内容物を充填する容器本体と、容器本体に装着され、内容物を空気と混合して吐出する泡吐出器とからなり、
泡吐出器は、内周に発泡部材を有して内容物と空気とを合流させ泡立てる気液合流空間を形成するシリンダ部と、該気液合流空間に連通して泡状内容物を吐出するノズル部と、ノズル部を枢着するキャップ部とからなり、
シリンダ部は、下部に内容物を吸引する吸引口と空気流入口とを備え、上部には可撓性を有する筒状栓体を備えており、
ノズル部は、先端に泡状内容物の吐出口を形成する吐出筒と、筒状栓体との間に微小間隙を有して嵌合する嵌合筒とを備え、
キャップ部は、容器本体の口部に装着する固定部と、ノズル部を枢着する枢着部を有する立壁部とからなり、
ノズル部は枢着部を中心に回動することにより、気液合流空間が外気と連通している開状態と、筒状栓体が屈曲変形して気液合流空間が外気と遮断される閉状態とに移行可能に配置されていることを特徴とする泡吐出容器。
【請求項２】
シリンダ部は、シリンダ本体と、シリンダ本体の上部に装着される筒状栓体とからなり、
筒状栓体は、シリンダ本体の上部内周に嵌合固定される栓体基部と、該栓体基部の上部に立設されノズル部の嵌合筒に嵌合する可撓筒とからなることを特徴とする請求項１記載の泡吐出容器。
【請求項３】
可撓筒の下部には、内方に湾曲した湾曲面が周方向に設けられていることを特徴とする請求項２記載の泡吐出容器。
【請求項４】
可撓筒の内周には、閉状態への移行時にノズル部の嵌合筒下端により押圧される側の屈曲部位付近に、枢軸方向側を除く周方向所定範囲にわたって閉止突条が設けられていることを特徴とする請求項２または３記載の泡吐出容器。
【請求項５】
筒状栓体の栓体基部は、気液合流空間を形成する内周に発泡部材を設けるとともに、外周にキャップ部内面に当接する逆止弁を設け、
シリンダ本体は、内周に内容物と空気を混合する混合機構を備え、外周にキャップ部の保持部に嵌合保持される嵌合壁と、外気と連通可能な貫通孔とを有するフランジを備えていることを特徴とする請求項２〜４のいずれかに記載の泡吐出容器。
【請求項６】
吐出筒下部に係止突起が設けられ、キャップ部の立壁部には、閉状態で係止突起に係合する係止孔が設けられていることを特徴とする請求項１〜５のいずれかに記載の泡吐出容器。
【発明の詳細な説明】
【技術分野】
【０００１】
本発明は、内容物と空気とを混合して発泡させ、泡を吐出する泡吐出容器に関し、とくに、可撓性を有する容器本体を圧搾して泡を吐出するスクイズタイプの泡吐出容器に関するものである。
【背景技術】
【０００２】
シャンプーやボディソープなどの各種液体洗浄剤や整髪料などを内容物とする容器として、容器本体の胴部を圧搾することによって内容物と空気とを混合させつつメッシュなどの発泡部材を有する気液合流空間Ｇを通過させ、泡状になった内容物をノズルから吐出する泡吐出容器が従来より知られている（例えば、特許文献１参照）。
【先行技術文献】
【特許文献】
【０００３】
【特許文献１】特開２０１３−５２８８０号公報
【発明の概要】
【発明が解決しようとする課題】
【０００４】
しかしながら、上記特許文献１記載の泡噴出容器では、ノズル３６が常に前記合流空間Ｇと連通しているため、容器本体１０を倒したり、胴部１２を強く把持したりすると、泡状内容物が不用意に噴出してしまうという問題があった。
また、泡噴出容器を長く使用しないときには、ノズル３６内部や発泡部材４０、シリンダ本体２２内部に残留していた内容物が乾燥して固化し、均一に泡立てることができなかったり、安定して内容物を吐出することができない場合があった。
【０００５】
本発明は、上記問題を解決することを課題とし、容器本体の胴部を圧搾することによって、内容物と空気とを混合させつつ泡立てる気液合流空間を経てノズルから吐出する泡吐出容器において、気液合流空間と外気とを複雑な装置を用いずに容易に遮断することができ、安定的かつ衛生的に使用することができるとともに、外気を遮断する閉状態であることが外観から容易に視認できる泡吐出容器を提供することを目的とする。
【課題を解決するための手段】
【０００６】
本発明は、上記の課題を解決するため、可撓性を有する胴部を有し内容物を充填する容器本体と、容器本体に装着され、内容物を空気と混合して吐出する泡吐出器とからなり、泡吐出器は、内周に発泡部材を有して内容物と空気とを合流させ泡立てる気液合流空間を形成するシリンダ部と、該気液合流空間に連通して泡状内容物を吐出するノズル部と、ノズル部を枢着するキャップ部とからなり、シリンダ部は、下部に内容物を吸引する吸引口と空気流入口とを備え、上部には可撓性を有する筒状栓体を備えており、ノズル部は、先端に泡状内容物の吐出口を形成する吐出筒と、筒状栓体との間に微小間隙を有して嵌合する嵌合筒とを備え、キャップ部は、容器本体の口部に装着する固定部と、ノズル部を枢着する枢着部を有する立壁部とからなり、ノズル部は枢着部を中心に回動することにより、気液合流空間が外気と連通している開状態と、筒状栓体が屈曲変形して気液合流空間が外気と遮断される閉状態とに移行可能に配置されていることを特徴とする構成を採用する。
【０００７】
泡吐出容器の実施形態として、シリンダ部は、シリンダ本体と、シリンダ本体の上部に装着される筒状栓体とからなり、筒状栓体は、シリンダ本体の上部内周に嵌合固定される栓体基部と、該栓体基部の上部に立設されノズル部の嵌合筒に嵌合する可撓筒とからなることを特徴とする構成、さらに、可撓筒の下部には、内方に湾曲した湾曲面が周方向に設けられていることを特徴とする構成、可撓筒の内周には、閉状態への移行時にノズル部の嵌合筒下端により押圧される側の屈曲部位付近に、枢軸方向側を除く周方向所定範囲にわたって閉止突条が設けられていることを特徴とする構成、筒状栓体の栓体基部は、気液合流空間を形成する内周に発泡部材を設けるとともに、外周にキャップ部内面に当接する逆止弁を設け、シリンダ本体は、内周に内容物と空気を混合する混合機構を備え、外周にキャップ部の保持部に嵌合保持される嵌合壁と、外気と連通可能な貫通孔とを有するフランジを備えていることを特徴とする構成、また、吐出筒下部に係止突起が設けられ、キャップ部の立壁部には、閉状態で係止突起に係合する係止孔が設けられていることを特徴とする構成を採用する。
【発明の効果】
【０００８】
本発明の泡吐出容器は、先端に泡状内容物の吐出口を形成するノズル部が、可撓性を有する筒状栓体との間に微小間隙を有して嵌合する嵌合筒を備え、キャップ部の枢着部を中心に回動されることにより、気液合流空間が外気と連通している開状態と、筒状栓体の筒部が屈曲変形して気液合流空間が外気と遮断される閉状態とに移行可能に配置されている構成を備えることにより、容器を使用しないときにはノズル部を回動して閉状態とし、気液合流空間を外気から遮断するから、容器胴部を強く把持したり容器を倒したりしても、不用意に内容物が漏出することがなく、しかも、複雑高価な栓体を別途用いなくとも容器の開閉状態を切り替えることができる。
また、ノズル部の回動によって容器の開閉状態を切り替えるので、離れた位置からでも容器の外観で開閉状態を容易に視認することができる。
【０００９】
泡吐出容器として、可撓筒の下部に、内方に湾曲した湾曲面を周方向に設けた実施態様では、該湾曲面により可撓筒が屈曲しやすくなり閉操作が容易となる。
また、可撓筒の内周における、閉状態でノズル部の嵌合筒下端により押圧される側の屈曲部位付近に、枢軸方向側を除く周方向所定範囲にわたって閉止突条が設けられている実施態様では、該閉止突条により屈曲部における可撓筒内面のシール性が高まるとともに、閉止突条を複数設ければ可撓筒をさらに屈曲しやすくすることができるという作用効果を奏する。
【図面の簡単な説明】
【００１０】
【図１】泡吐出容器の実施例の開状態を示す、部分断面側面図である。
【図２】（ａ）は図１に示す泡吐出容器の上面図、（ｂ）は図１のＣ−Ｃ線における矢視断面図である。
【図３】（ａ）は図１のＡ−Ａ線における矢視断面図、（ｂ）は図１のＢ−Ｂ線における矢視断面図、（ｃ）は図（ｂ）における内側壁３０上部を示す部分斜視図である。
【図４】（ａ）は実施例の筒状栓体の上面図、（ｂ）は同断面側面図、（ｃ）は異なる実施例筒状栓体の断面側面図である。
【図５】（ａ）は実施例のキャップ部の上面図、（ｂ）は同断面側面図である。
【図６】泡吐出容器の実施例の閉状態を示す、部分断面側面図である。
【図７】図６の要部拡大図である。
【発明を実施するための形態】
【００１１】
次に、本発明の泡吐出容器について、実施例を示した図面を参照して説明する。
【実施例】
【００１２】
図１、２、６において、Ａは容器本体、Ｂは容器本体Ａに装着された泡吐出器である。
【００１３】
図１、２、６に示すように、容器本体Ａは、図示しない底部を有する筒状の胴部１の上部に、内部の充填空間Ｍと連通する開口を形成する口部２を有する。
胴部１は、合成樹脂等により成形された可撓性素材からなり、把持して押圧すると変形して内部の充填空間Ｍに充填された内容物を空気とともに圧搾する役割を果たす。
口部２には外周におねじ部３が形成され、泡吐出器Ｂを装着することができる。
また、口部２のおねじ部３の下方には、周方向所定箇所に回り止めリブ８９が突設されている。
【００１４】
泡吐出器Ｂは、充填された内容物と空気とを合流させ泡立てる気液合流空間Ｇを形成するシリンダ部１０と、該気液合流空間Ｇに連通して泡状内容物を吐出するノズル部５０と、ノズル部５０を枢着し容器本体Ａの口部３に装着されるキャップ部７０とからなっている。
シリンダ部１０は、下部に内容物を吸引する吸引口を形成する吸引管１３とシリンダ底体１４を保持し、上部外周にキャップ部７０に固定されるフランジ１５を有するシリンダ本体１１と、シリンダ本体１１の上部に装着される筒状栓体１２とからなっている。
【００１５】
シリンダ本体１１は、小径の下部筒１７と大径の上部筒１８とが段部１９により連結されている。
図３（ａ）に示すように、下部筒１７の内周には、リング板２１が内方に向けて突設され、リング板２１の内側には連結片２２によって保持された棒体２３が設けられている。
また、連結片２２は周方向に間隔をあけて複数設けられており、リング板２１の内縁から斜め上方に起立し、棒体３の上部に連設している。
上部筒１８の内周には筒状栓体１２の下部が嵌合固定されており、上部筒１８の外周からはフランジ１５が張り出し、外気と連通可能な貫通孔２５を設けるとともに、外周縁にキャップ部７０に保持される嵌合壁２６が連設されている。
【００１６】
シリンダ底体１４は、下部筒１７の下部外周に嵌合される嵌合部２８と、嵌合部２８の下端で連設し内側に延びる段部２９と、段部２９の内側に立設された内側壁３０と、段部２９から垂設され吸引管１３を嵌合保持する保持筒３１とからなる底部３２を有し、底部３２の上部には下方に向けて拡径する円錐状の傾斜壁３３が連設されている。
嵌合部２８と段部２９の連設部位には、周方向に４カ所に空気を取り込む流入口３５が、下部筒１７の下端に同じく周方向４カ所に設けられた切欠き３６に対応するように配置されている。
【００１７】
図３（ｂ）、図３（ｃ）に示すように、内側壁３０の内周面には、棒体２３を支持するリブ３８が、周方向に間隔をあけて周方向４カ所に設けられている。
また、内側壁３０には、空気流入孔３５および切欠き３６に一致する周方向位置において、外周面に設けられた外側溝部３７ａと、該外側溝部３７ａに連通して上面に設けられた上側溝部３７ｂとからなる溝部３７が、同様に周方向４カ所に設けられている。
これらの空気流入孔３５および切欠き３６、溝部３７は、本実施例では周方向４カ所に設けられているが、４カ所に限定されることはなく、相互に連通していれば１カ所でもよい。
【００１８】
このように、シリンダ本体１１には、充填空間Ｍ内の内容物を、吸引管１３、リブ３８の相互間の隙間、連結片２２の相互間の隙間の順に通す内容物流路、および充填空間Ｍ内の空気を、空気流入孔３５、切り欠き部３６、外側溝部３７ａ、上側溝部３７ｂ、連結片２２の相互間の隙間の順に通す空気流路とが形成され、これらの構成により気液混合機構が構成されている。
【００１９】
図１，図４に示されるように、筒状栓体１２は、シリンダ本体１１の上部筒１８内周に嵌合固定される栓体基部４０と、該栓体基部４０の上部に立設されノズル部５０に嵌合する可撓筒４１とからなっている。
栓体基部４０の内周は、発泡部材を構成するメッシュ４３を端部に取着したメッシュリング４９を配して内容物を泡立てる気液合流空間Ｇを形成し、外周には上部筒１８に嵌合する嵌合部４４と、嵌合部４４の上部に拡径部４５が形成され、拡径部４５には、通常はキャップ部７０の内面に当接し、容器内部が負圧になるとキャップ部７０の内面から離隔するように弾性変位する逆止弁４６が、外方に環状に延びて設けられている。
【００２０】
可撓筒４１は、可撓性を有する素材からなる薄肉筒状であり、内周面には、ノズル部５０の回動によってノズル部下端により押圧される側の屈曲部位付近に閉止突条４７が設けられている。
閉止突条４７は、屈曲を妨げるノズル部５０の枢軸方向側を除いた周方向所定範囲にわたって設けられればよいが、必ずしも設ける必要はない。
また、図４（ｃ）に示すように、筒状栓体１２の別実施形態として、可撓筒４１の下部に、内方に湾曲した湾曲面４８を周方向に形成したものがある。
湾曲面４８は必ずしも全周に設ける必要はなく、部分的に設けてもよいが、このような湾曲面４８を形成することによって、可撓筒４１がより屈曲変形しやすくなる。
【００２１】
ノズル部５０は、先端に泡状内容物の吐出口を形成する吐出筒５１と、内周が筒状栓体１２の可撓筒４１に微小間隙Ｓを有して嵌合する嵌合筒５２とを備え、気液合流空間Ｇと吐出口とを連通する吐出流路Ｈを形成する。
吐出筒５１と嵌合筒５２との連結部位付近には、キャップ部７０に枢着される軸部５３が、吐出筒５１が延びる方向に対して垂直方向に突出されている。
また、吐出筒５１の下部には、後述するキャップ部７０の係止孔８８に係止して、泡吐出容器を閉状態に保持する係止突起５４が設けられている。
係止突起５４の先端には、軸部５３側に突出するフック５５が設けられている。
【００２２】
キャップ部７０は、容器本体Ａの口部２に装着する固定部７１と、シリンダ部１０を保持する保持段部７２およびノズル部５０を枢着する枢着部７４を有する立壁部７３とからなっている。
固定部７１には、口部２のおねじ部３に螺合するめねじ部７５が設けられ、めねじ部７５の上部には口部２の天面に当接する上壁７６が連設し、上壁７６の内周縁には口部２の内周に当接して容器内を密封する内筒７７が垂設されている。
【００２３】
また、図２（ｂ）に示すように、めねじ部７５より下方の固定部７１の内周には小突起９１と大突起９２が突設され、小突起９１と大突起９２の間には、回り止めリブ８９が嵌合可能な凹部が形成されている。
小突起９１と大突起９２は、泡吐出器Ｂを容器本体Ａに組み付ける際に、キャップ部７０を口部２にねじ込んでいくと、ねじ込み終了直前に、回り止めリブ８９が小突起９１を乗り越えて前記凹部に嵌合し、ねじ込み完了を知らせるとともに泡吐出器Ｂの回動を阻止する役割を果たす。
なお、本実施例では、口部２とキャップ部７０の螺合により泡吐出器Ｂを容器本体Ａに組み付けているが、このようなねじ部による連結手段に限定されず、キャップ部７０を口部２に嵌合してフック状部で係合するアンダーカット嵌合など、他の連結手段を採用してもよいことはもちろんである。
【００２４】
内筒７７の上部には、内筒７７と内周面を共有する外筒７９により保持段部７２が立設され、保持段部７２の外筒７９より内側には、シリンダ本体１１の嵌合壁２６の上部を嵌合する環状の嵌合溝７８が形成されている。
保持段部７２の上部には、略筒状の立壁８１が立設され、その上部は略ドーム状の頂壁８２に連設されている。
頂壁８２の中心付近には、ノズル部５０の軸部５３を上部から嵌入する軸受け部８４が形成され、ノズル部５０を閉方向に回動したとき吐出筒５１を収容可能に形成された凹部８５とともに枢着部７４を構成している。
【００２５】
凹部８５は、軸受け部８４の軸方向に垂直な方向に設けられ、立壁８１の上部を切り欠いて形成される。
凹部８５の底部には、切り欠かれた立壁８１の上端に連設する係止板８６が、吐出筒５１の下面を支持するように設けられている。
係止板８６には、係止突起５４に係合する係止孔８８が穿設され、係止突起５４が嵌入するとフック５５が係合するようになっている。
【００２６】
次に、本実施例の使用態様と作用効果について説明する。
容器内に充填された内容物を泡状にして吐出するには、胴部１を把持して圧搾し、充填空間Ｍの内圧を高める。
内容物は、吸引管１３から吸引されて上昇し、シリンダ本体１１の内周に配置された内側壁３０から突出するリブ３８と棒体２３によって制限された、リブ３８相互間の隙間を通過していく。
同時に、充填空間Ｍ内の空気は、シリンダ底体１４の空気流入孔３５とシリンダ本体１１下端の切り欠き部３６から内側壁３０の外側溝部３７ａに流入し、上部溝部３７ｂを通ってリブ３８相互間の隙間から上昇してきた内容物と合流し、ともに連結片２２の相互間の隙間を通過していく。
【００２７】
空気と混合されながら上昇する内容物は、メッシュ４３を通過することによって泡立てられ、さらに、可撓筒４１内を通ってノズル部５０内の吐出流路Ｈから吐出口を経て外部に吐出される。
このとき、充填空間Ｍの内圧により、逆止弁４６はキャップ部７０の内面に強く押圧されるため、フランジ１５の貫通孔２５から空気が漏れることはない。
【００２８】
泡状内容物を吐出した後、容器本体Ａの胴部１から手を離すと、圧搾により変形した胴部１が元の形状に復帰しようとするので、充填空間Ｍ内の内圧が負圧となる。
そのため、外気が嵌合筒５２と可撓筒４１との間の微小間隙Ｓから吐出通路Ｈ内に流入し、吐出通路Ｈ内に残留している泡状内容物とともに気液合流空間Ｇ側へ引き込まれ、充填空間Ｍへ還流していく。
同時に、充填空間Ｍ内の負圧が大きいときには、逆止弁４６がキャップ部７０の内面から離隔し、外気が貫通孔２５を通って充填空間Ｍの負圧を緩和し、胴部１を速やかに元の形状へ復帰させる。
なお、微少間隙Ｓは、嵌合筒５２と可撓筒４１との嵌合周面に設けられた凹凸などによって形成される間隙であってもよい。
【００２９】
その後、容器を使用しないときは、ノズル部５０を回動することによって気液合流空間Ｇを外気から遮断し、泡吐出容器を閉状態に保つことができる。
図６、図７に示すように、吐出筒５１を把持して下方へ押圧すると、ノズル部５０は軸部５３を中心に回動する。
ノズル部５０の回転によって、嵌合筒５２の下端が可撓筒４１の下部に当接し可撓筒４１を屈曲変形させる。
このとき、吐出筒５１の下部に設けられた係止突起５４は、係止板８６の係止孔８８に嵌入していき、吐出筒５１の下面が係止板８６に当接してノズル部５０の回動が停止する。
その後、ノズル部５０から手を離しても、係止突起５４のフック５５が係止孔８８に係合してノズル部５０が回動することを阻止し、閉状態が保たれる。
【００３０】
図７に示すように、可撓筒４１は屈曲することにより扁平状に変形して流路を閉鎖し、気液合流空間Ｇを外気から遮断する。
可撓筒４１の押圧される側の内周面に設けられた閉止突条４７は、シール機能を有して流路をより完全に閉鎖することができる。
また、閉止突条４７を複数設けて上下方向に肉厚を変化させれば、より可撓筒４１を屈曲変形しやすくなる。
閉止突条４７は、屈曲変形を妨げないように、軸部５３の軸方向の所定範囲には設けないことが好ましい。
【００３１】
このように、本実施例の泡吐出容器は、使用しないときにはノズル部５０を回動して閉状態とし、気液合流空間Ｇを外気から遮断することができるから、胴部１を誤って強く把持したり容器を倒したりしても、不用意に内容物が漏出することがなく、しかも、複雑高価な栓体を別途用いなくとも容器の開閉状態を切り替えることができる。
しかも、可撓筒４１と嵌合筒５２とを微小間隙Ｓをもって嵌合しているので、該微小間隙から空気を流入させて吐出流路Ｈ内に残留した泡状内容物を吸引しサックバックすることができるから、残留した泡状内容物が使用後に吐出口から流れ出るようなこともなく、衛生的である。
また、ノズル部５０の回動によって容器の開閉状態を切り替えるので、離れた位置からでも外観によって容器の開閉状態を容易に視認することができる
【産業上の利用可能性】
【００３２】
本発明の泡吐出容器は、簡易な構造で開閉状態を切り替えて内部の流路を外気と遮断することができ、衛生的かつ安定的に使用することができるので、シャンプーやボディソープなどの各種液体洗浄剤や整髪料などを内容物とする安価な容器として好適に利用できる。
【符号の説明】
【００３３】
Ａ              容器本体
Ｂ              泡吐出器
Ｇ              気液合流空間
Ｍ              充填空間
Ｈ              吐出流路
Ｓ              微小間隙
１              胴部
２              口部
３              おねじ部
１０              シリンダ部
１１              シリンダ本体
１２              筒状栓体
１３              吸引管（吸引口）
１４              シリンダ底体
１５              フランジ
１７              下部筒
１８              上部筒
１９              段部
２１              リング板
２２              連結片
２３              棒体
２５              貫通孔
２６              嵌合壁
２８              嵌合部
２９              段部
３０              内側壁
３１              保持筒
３２              底部
３３              傾斜壁
３５              空気流入孔
３６              切欠き
３７              溝部
３８              リブ
４０              栓体基部
４１              可撓筒
４３              メッシュ（発泡部材）
４４              嵌合部
４５              拡径部
４６              逆止弁
４７              閉止突条
４８              湾曲部
４９              メッシュリング
５０              ノズル部
５１              吐出筒
５２              嵌合筒
５３              軸部
５４              係止突起
５５              フック
７０              キャップ部
７１              固定部
７２              保持段部
７３              立壁部
７４              枢着部
７５              めねじ部
７６              上壁
７７              内筒
７８              嵌合溝
７９              外筒
８１              立壁
８２              頂壁
８４              軸受け部
８５              凹部
８６              係止板
８８              係止孔
８９              回り止めリブ
９１              小突起
９２              大突起
【図１】
2015227186.tif 000003
【図２】
2015227186.tif 000004
【図３】
2015227186.tif 000005
【図４】
2015227186.tif 000006
【図５】
2015227186.tif 000007
【図６】
2015227186.tif 000008
【図７】
2015227186.tif 000009